【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
複数の第１の光学パラメータの情報と、複数の第２の光学パラメータの情報と、前記複数の第１の光学パラメータの情報と前記複数の第２の光学パラメータの情報との組み合わせに基づく補正値とを有するデータを取得し、前記データを画像補正処理に用いる信号処理装置において、
前記データは、各第１の光学パラメータの情報に対する前記複数の第２の光学パラメータの情報のセットの数を示す第１の情報と、前記第１の情報が示す数の前記複数の第２の光学パラメータの情報のセットと、を有することを特徴とする信号処理装置。
【請求項２】
前記データが、各第１の光学パラメータの情報に対する前記複数の第２の光学パラメータの情報のセットを複数有していない場合には、前記第１の情報の示す数は１であり、
各第１の光学パラメータの情報に対する前記複数の第２の光学パラメータの情報のセットを複数有している場合には、前記第１の情報の示す数は前記複数の第１の光学パラメータの情報の数に等しいことを特徴とする請求項１に記載の信号処理装置。
【請求項３】
前記データが、各第１の光学パラメータの情報に対する前記複数の第２の光学パラメータの情報のセットを複数有している場合には、少なくともある第１の光学パラメータの情報に対する前記複数の第２の光学パラメータの情報のセットにおける第２の光学パラメータの情報の組み合わせが、他の第１の光学パラメータの情報に対する前記複数の第２の光学パラメータの情報のセットにおける第２の光学パラメータの情報の組み合わせとは異なることを特徴とする請求項２に記載の信号処理装置。
【請求項４】
前記データが、各第１の光学パラメータの情報に対する前記複数の第２の光学パラメータの情報のセットを複数有していない場合には、各第１の光学パラメータの情報のいずれに対しても、同じセットの前記複数の第２の光学パラメータの情報との組み合わせに基づいて補正値を有することを特徴とする請求項２又は請求項３に記載の信号処理装置。
【請求項５】
各第１の光学パラメータの情報に対する前記複数の第２の光学パラメータの情報のセットを複数有している場合の前記第１の光学パラメータの情報の数及び前記複数の第２の光学パラメータの数と、そうでない場合の前記第１の光学パラメータの情報の数及び前記複数の第２の光学パラメータの数とが同じである場合には、
各第１の光学パラメータの情報に対する前記複数の第２の光学パラメータの情報のセットを複数有している場合と、そうでない場合とで、前記データが有する補正値の数が等しいことを特徴とする請求項２から請求項４のいずれか１項に記載の信号処理装置。
【請求項６】
前記データは、前記第１の光学パラメータの情報の数の情報と、前記第１の光学パラメータの情報それぞれに対応する第２の光学パラメータの情報の数の情報を有することを特徴とする請求項１から請求項５のいずれか１項に記載の信号処理装置。
【請求項７】
前記データは、前記複数の第１の光学パラメータの情報、前記複数の第２の光学パラメータの情報及び複数の第３の光学パラメータの情報との組み合わせに基づく補正値と、各第１の光学パラメータの情報に対する前記複数の第３の光学パラメータの情報のセットの数を示す第２の情報と、を有することを特徴とする請求項１から請求項６のいずれか１項に記載の信号処理装置。
【請求項８】
前記第１の光学パラメータの情報は焦点距離に関する情報であり、前記第２の光学パラメータの情報は撮影距離に関する情報及び絞り値に関する情報の少なくとも１つを含む情報であることを特徴とする請求項１から請求項７のいずれか１項に記載の信号処理装置。
【請求項９】
前記第１の光学パラメータの情報は焦点距離に関する情報であり、前記第２の光学パラメータの情報及び前記第３の光学パラメータの情報はそれぞれ撮影距離又は絞り値に関する情報であることを特徴とする請求項６に記載の信号処理装置。
【請求項１０】
前記データは、像高に関する情報を有するとともに、前記補正値の情報を前記像高に関する情報ごとに有することを特徴とする請求項１から請求項９のいずれか１項に記載の信号処理装置。
【請求項１１】
前記複数の第１の光学パラメータの情報及び前記複数の第２の光学パラメータの情報は、それぞれ離散的に構成されていることを特徴とする請求項１から請求項１０のいずれか１項に記載の信号処理装置。
【請求項１２】
画像補正処理を行う処理手段を有し、前記処理手段は前記データが有する補正値を用いて画像補正処理を行うことを特徴とする請求項１から請求項１１のいずれか１項に記載の信号処理装置。
【請求項１３】
レンズユニットから情報を取得する取得手段を有し、
前記データは前記取得手段がレンズユニットから取得することを特徴とする請求項１から請求項１２にいずれか１項に記載の信号処理装置。
【請求項１４】
前記取得手段は、撮影時における前記第１の光学パラメータの情報及び前記第２の光学パラメータの情報をレンズユニットから取得することを特徴とする請求項１３に記載の信号処理装置。
【請求項１５】
複数の第１の光学パラメータの情報と、複数の第２の光学パラメータの情報と、前記複数の第１の光学パラメータの情報と前記複数の第２の光学パラメータの情報との組み合わせに基づく補正値とを有するデータを取得する取得ステップと、前記データを用いて画像補正処理を行う処理ステップとを有する信号処理方法において、
前記データは、各第１の光学パラメータの情報に対する前記複数の第２の光学パラメータの情報のセットの数を示す第１の情報と、前記第１の情報が示す数の前記複数の第２の光学パラメータの情報のセットと、を有することを特徴とする信号処理方法。
【請求項１６】
請求項１５の信号処理方法の各ステップをコンピュータにより実行させるためのコンピュータプログラム。
【請求項１７】
複数の第１の光学パラメータの情報と、複数の第２の光学パラメータの情報と、前記複数の第１の光学パラメータの情報と前記複数の第２の光学パラメータの情報との組み合わせに基づく補正値とを有するデータを撮像装置に送信するレンズユニットにおいて、
前記データは、各第１の光学パラメータの情報に対する前記複数の第２の光学パラメータの情報のセットの数を示す第１の情報と、前記第１の情報が示す数の前記複数の第２の光学パラメータの情報のセットと、を有することを特徴とするレンズユニット。
【請求項１８】
前記データが、各第１の光学パラメータの情報に対する前記複数の第２の光学パラメータの情報のセットを複数有していない場合には、前記第１の情報の示す数は１であり、
各第１の光学パラメータの情報に対する前記複数の第２の光学パラメータの情報のセットを複数有している場合には、前記第１の情報の示す数は前記複数の第１の光学パラメータの情報の数に等しいことを特徴とする請求項１７に記載のレンズユニット。
【請求項１９】
前記データが、各第１の光学パラメータの情報に対する前記複数の第２の光学パラメータの情報のセットを複数有している場合には、少なくともある第１の光学パラメータの情報に対する前記複数の第２の光学パラメータの情報のセットにおける第２の光学パラメータの情報の組み合わせが、他の第１の光学パラメータの情報に対する前記複数の第２の光学パラメータの情報のセットにおける第２の光学パラメータの情報の組み合わせとは異なることを特徴とする請求項１８に記載のレンズユニット。
【請求項２０】
前記データが、各第１の光学パラメータの情報に対する前記複数の第２の光学パラメータの情報のセットを複数有していない場合には、各第１の光学パラメータの情報のいずれに対しても、同じセットの前記複数の第２の光学パラメータの情報との組み合わせに基づいて補正値を有することを特徴とする請求項１７又は請求項１８に記載のレンズユニット。
【請求項２１】
各第１の光学パラメータの情報に対する前記複数の第２の光学パラメータの情報のセットを複数有している場合の前記第１の光学パラメータの情報の数及び前記複数の第２の光学パラメータの数と、そうでない場合の前記第１の光学パラメータの情報の数及び前記複数の第２の光学パラメータの数とが同じである場合には、
各第１の光学パラメータの情報に対する前記複数の第２の光学パラメータの情報のセットを複数有している場合と、そうでない場合とで、前記データが有する補正値の数が等しいことを特徴とする請求項１８から請求項２０のいずれか１項に記載のレンズユニット。
【請求項２２】
前記データは、前記第１の光学パラメータの情報の数の情報と、前記第１の光学パラメータの情報それぞれに対応する第２の光学パラメータの情報の数の情報を有することを特徴とする請求項１７から請求項２１のいずれか１項に記載のレンズユニット。
【請求項２３】
前記データは、
前記複数の第１の光学パラメータの情報、前記複数の第２の光学パラメータの情報及び複数の第３の光学パラメータの情報との組み合わせに基づく補正値と、各第１の光学パラメータの情報に対する前記複数の第３の光学パラメータの情報のセットの数を示す第２の情報と、を有することを特徴とする請求項１７から請求項２２のいずれか１項に記載のレンズユニット。
【請求項２４】
前記第１の光学パラメータの情報は焦点距離に関する情報であり、前記第２の光学パラメータの情報は撮影距離に関する情報及び絞り値に関する情報の少なくとも１つを含む情報であることを特徴とする請求項１７から請求項２３のいずれか１項に記載のレンズユニット。
【請求項２５】
前記第１の光学パラメータの情報は焦点距離に関する情報であり、前記第２の光学パラメータの情報及び前記第３の光学パラメータの情報はそれぞれ撮影距離又は絞り値に関する情報であることを特徴とする請求項２２に記載のレンズユニット。
【請求項２６】
前記データは、像高に関する情報を有するとともに、前記補正値の情報を前記像高に関する情報ごとに有することを特徴とする請求項１７から請求項２５のいずれか１項に記載のレンズユニット。
【手続補正２】
【補正対象書類名】明細書
【補正対象項目名】０００９
【補正方法】変更
【補正の内容】
【０００９】
上記目的を達成するために、本発明の一つの側面は、複数の第１の光学パラメータの情報と、複数の第２の光学パラメータの情報と、前記複数の第１の光学パラメータの情報と前記複数の第２の撮影条件の情報との組み合わせに基づく補正値とを有するデータを取得し、前記データを画像補正処理に用いる信号処理装置において、前記データは、各第１の光学パラメータの情報に対する前記複数の第２の光学パラメータの情報のセットの数を示す第１の情報と、前記第１の情報が示す数の前記複数の第２の光学パラメータの情報のセットと、を有する。
【手続補正３】
【補正対象書類名】明細書
【補正対象項目名】００１０
【補正方法】変更
【補正の内容】
【００１０】
また、別の側面は、複数の第１の光学パラメータの情報と、複数の第２の光学パラメータの情報と、前記複数の第１の光学パラメータの情報と前記複数の第２の光学パラメータの情報との組み合わせに基づく補正値とを有するデータを撮像装置に送信するレンズユニットにおいて、前記データは、各第１の光学パラメータの情報に対する前記複数の第２の光学パラメータの情報のセットの数を示す第１の情報と、前記第１の情報が示す数の前記複数の第２の光学パラメータの情報のセットと、を有する。